(57)【特許請求の範囲】
【請求項１】
液体を分配するための吸引装置（１）に対して取り外し可能に構成され、液体サンプルを受け入れるためのサンプル空間を形成するマントルを備えた先端具(８)であって、該先端具(８)は、液体に導入される第１開口端部と、前記先端具(８)を前記吸引装置（１）に取り付けるための第２開口端部とを備えたものに於いて、前記先端具(８)は、該先端具（８）が前記吸引装置（１）に取り付けられたときに、前記先端具(８)の前記第１開口端部から前記吸引装置（１）への気液通路を気液密状に閉鎖するための膜手段（１１）を有し、該膜手段（１１）が、気液不透過性フレキシブル可逆変形可能材から構成される膜（１２）を備え、前記膜（１２）は、前記吸引装置（１）の筒状空間（４）内で移動するプランジャ（５）等の手段と接触可能に構成されていることを特徴とする先端具。
【請求項２】
前記膜（１２）は、前記先端具(８)の前記第２開口端部に於いて、前記サンプル空間を形成する前記マントルの面に固定されている請求項１に記載の先端具。
【請求項３】
前記膜（１２）は、前記先端具（８）の前記第２端部に於いて、前記先端具（８）の前記サンプル空間（９）を形成する前記マントルの外面に固定されている請求項１に記載の先端具。
【請求項４】
前記膜手段（１１）は、フレーム（１３）に取り付けられた膜（１２）から構成されている請求項１に記載の先端具。
【請求項５】
前記フレーム（１３）は、前記膜（１２）を取り付けた状態で取り外し可能である請求項４に記載の先端具。
【請求項６】
前記フレーム（１３）は、前記先端具（８）の前記第２開口端部に気液密状態で取り付けられている請求項４に記載の先端具。
【請求項７】
前記膜手段（１１）は、前記サンプル空間（９）を形成する前記壁の内面に対して気液密状態に取り付けられている請求項１に記載の先端具。
【請求項８】
前記サンプル空間（９）の前記壁の前記内面は、前記サンプル空間（９）内に突出して、それに対して前記フレーム（１３）と該フレーム（１３）に取り付けられた前記膜（１２）とを接触させて前記フレーム（１３）を前記サンプル空間（９）に於いてシール状態に取り付けることが可能な、突起、肩部、又は、ペグを備える請求項７に記載の先端具。
【請求項９】
前記サンプル空間（９）を形成する前記マントルは、前記先端具（８）の前記第２端部に面を形成し、この面に対して、前記吸引装置の筒状空間（４）内で移動するプランジャ（５）等の手段を接触させて、前記先端具（８）を前記膜手段（１１）と共に前記吸引装置（１）の先端部分（３）から取り外すことが可能である請求項１に記載の先端具。
【請求項１０】
前記フレーム（１３）は、それに対して、前記吸引装置の前記筒状空間（４）内で移動する手段（５）を接触させて、前記先端具（８）を前記膜手段（１１）と共に前記吸引装置の先端部分から取り外すことが可能な面を形成している請求項４に記載の先端具。
【請求項１１】
吸引装置によって液体を分配する方法であって、前記吸引装置が、プランジャ等の往復移動手段（５）を備えた筒状空間（４）を包囲する先端部分（３）と、前記先端部分に取り外し可能に取り付けられた先端具（８）とを備えるものに於いて、前記手段（５）は、前記先端具（８）のサンプル空間（９）を気液密状態に閉鎖する膜手段（１１）と接触し、前記膜手段（１１）は、フレキシブル可逆変形可能材から構成される膜（１２）を備え、前記サンプル空間（９）からのサンプルの出し入れのために、前記先端具の前記サンプル空間（９）から膜（１２）によって区間される容量を変化させると共に、前記先端具（８）が、前記手段（５）の前記先端具（８）に対する平行移動によって、前記吸引装置の前記先端部分（３）から取り外される方法。
【請求項１２】
前記手段（５）は、前記先端具（８）を前記吸引装置の前記先端部分（３）から取り外すために、前記先端具（８）の前記サンプル空間（９）を形成する前記マントルによって形成される面と接触する請求項１１に記載の方法。
【請求項１３】
前記手段（５）は、前記先端具（８）を前記吸引装置の前記先端部分（３）から取り外すために、前記先端具（８）の前記膜手段（１１）のフレーム（１３）によって形成される面と接触する請求項１１に記載の方法。
【請求項１４】
前記手段（５）を前記先端具（８）の前記サンプル空間（９）を形成する前記マントルの面に接触させることによって、前記先端具（８）を前記吸引装置の前記先端部分（３）に取り付けるための取り付け手段（２０）と共に、前記先端具（８）を取り外す請求項１１に記載の方法。
【発明の詳細な説明】
【０００１】
【発明の属する技術分野】
本発明は、液体サンプルを受け入れるためのサンプル空間を形成するマントルを備えた先端具に関する。前記先端具は、液体に導入される第１開口端部と、分配、移し替え、希釈、滴定、混合、又はこれらの作業の一部又は全部の組み合わせ等用に構成された機械式又は電子式ピペット等の吸引装置に取り付けるための第２開口端部とを有する。
本発明は、更に、プランジャ等の往復移動手段を備える筒状空間を包囲する先端部分と、取り外し可能に取り付けられた先端具とを備えた、機械式又は電子式ピペット等の吸引装置によって、分配、移し替え、希釈、滴定、混合、又はこれらの作業の一部又は全部の組み合わせを行う方法に関する。前記吸引装置は、本体部と、これに関連付けられた先端部分とを有し、前記先端部分の開口端部は液体サンプルを受け入れるためのサンプル空間を有する使い捨て式先端具を取り外し可能に取り付けるべく前記本体部から離間して向けられるとともに、この先端部分内には、サンプルをそこから出し入れするべく往復移動可能なプランジャ等からなる手段を収納した筒状空間が形成されている。
以下の記載に於いて、「吸引装置」又は「ピペット」等の用語が使用される場合、これらは、上に定義された、ピペット、分配装置、移し替え装置、希釈装置、滴定装置、混合装置、としての機能、又はこれらの機能の一部又は全部の組み合わせのすべて機能を有するすべてのタイプの吸引装置一般を意味するものとする。機械式又は電子式ピペットは、手動操作式の別途に設けられる装置であっても、あるいは分析装置等のなんらかの装置の一部であってもよい。
【０００２】
【従来の技術】
過去約３０年間に渡って、取り付け液体容器、即ち、ピペット先端具を備えたピペットが使用されてきたが、そのピペットの不注意な操作、又は、液体からの液体分子の蒸発等によって、そこから液体がピペットの内部へと逆流する不都合が発生することがあった。ピペットの内側部分が汚染することによって、作業者の安全が脅かされ、更に、そのピペット自身の確実な操作が困難或いは不可能となっていた。当然、これは、正確であるのみならず、使用者と患者にとって安全であることが要求される実験室作業に於いては受け入れることのできないものである。更に、そのような作業は、科学又はその他の分野に於いても許されるものではない。
【０００３】
これらの問題に依り、ピペットの製造業者は、ピペットが定期的にその使用者によって分解、クリーニングされることを推奨している。
【０００４】
【発明が解決しようとする課題】
この作業に於いて、ほとんど常に、ピペットのプランジャとガスケットも再潤滑され、ピペットの再較正、即ち、ピペットによる取り出し分配等される液体容積をそのピペットの目盛りに設定された容量と対応させる作業が必要となる。このピペットの分解、再組み立て作業は、不便かつ手間がかかるばかりでなく、それによって、ピペット中に、感染物質や、ＰＣＲ作業の障害となるＤＮＡ及びＲＮアーゼのような汚染物質等のその他の汚染物質が含まれていないということを保障するものではない。
従って、いくつかのピペット製造業者は、オートクレーブで殺菌可能であるとされるピペットの生産を始めている。しかし、オートクレーブ内での殺菌によっては、ピペットの構成部材からＤＮＡ及びＲＮアーゼ汚染物質は除去されない。このような作業は、非常に手間のかかる作業であり、更に、その作業自身によって、ピペットがもはや十分正確かつ確実に作動出来なくなる程度にまでピペットの構成部材が損傷を受けることも多い。ピペットを殺菌後に使用するときには、それが既に最初のピペット作業で汚染されてしまっている可能性がある。
【０００５】
米国特許公報第５，４０６，８５６号は、液体に挿入される先端部分を備えた使い捨て式先端具と使用されるように構成された吸引装置を開示しており、前記先端部分には、液体サンプルの出し入れ用の開口が形成されるとともに、この使い捨て式先端具の、吸引装置の本体部の端部に取り付けられるように構成された部分は前記吸引装置に向けて閉じられている。この閉じられた部分の形状と、同時に、その容量とは、前記吸引装置の本体部の端部内に設けられた手段によって変更可能である。この解決法に於いて、汚染は防止することができるが、それに使用される使い捨て式先端具は特殊な先端具である。
【０００６】
米国特許公報第４，４４４，０６２号には、吸引装置の本体部と、取り付けチップスタンドとの間に配設されたフレキシブル膜を有する複通路式（マルチチャンネル）吸引装置が開示され、該吸引装置の本体部内で移動可能なプランジャのロッドが、プランジャが下方に押されたときに前記膜と接触する。この解決法に於いて、前記膜は、前記本体部の下面又は、前記チップスタンドの上面に固定されるか、若しくは、前記本体部の下面に取り付けられた一つの膜と、チップスタンドの上面に取り付けられたもう一つの膜とから成る二つの膜が使用される。前記チップスタンド自身は、ネジ接続によって前記本体部に取り付けられている。この発明の一実施例に於いて、取り付けチューブとこれらに取り付けられた先端具とを備えるチップスタンドと、このチップスタンドの上面に固定された膜とから成るチップスタンドアセンブリを、適当なクイック接続法によって吸引装置の本体部に取り付けられる一つの使い捨て式成形プラスチックユニットとして構成可能であるとされている。しかし、この公報に於いて、プランジャ又は、先端具取り外し具等のその他の手段による、そのチップスタンド、チップスタンドアセンブリ、又は、その構成部材の、前記本体部からの取り外しについては何ら開示されていない。
【０００７】
【課題を解決するための手段】
上述した問題点は、本発明に依る使い捨て式先端具を使用することによって回避可能である。本発明の先端具は、該先端具を吸引装置に取り付けたときにこの先端具の第１端部から吸引装置への気液通路を気液密状態に閉じる膜手段を備え、この膜手段が、気液不透過性フレキシブル可逆変形可能材料から構成される膜を備えていることを特徴とする。本発明のこの解決法に依れば、分配される液体および／又はそこから蒸発する気体が、ピペットの内部分に侵入することが防止することができる。更に、本発明の前記先端具は、プランジャ又は、その他の類似作用を有する手段を移動させることによって取り外し可能であり、これによって、ピペットの使用の人間工学性と作業の安全性とが向上する。
【０００８】
本発明は、更に、前記吸引装置の先端部分によって包囲された筒状空間内の往復移動可能手段を先端具のサンプル空間内の膜手段と接触させることによって、この膜手段が前記先端具の液を出し入れするサンプル空間から区画された容積を変更することができるように、気液不透過性フレキシブル可逆変形可能材料から構成される膜を備えて、前記先端具が、前記手段の先端具に対する平行（ｔｒａｎｓｌａｔｉｎｇ）移動によって前記吸引装置の先端部分から取り外されることを特徴とする方法を提供する。
【０００９】
前記使い捨て式先端具と使用される吸引装置自身は、手動操作又は、例えば電気操作式の公知の装置であってよく、この装置は、独立的に操作可能なもの、あるいは、ピペット等のなんらかの装置の一部として作動するものとすることができる。
【００１０】
本発明の一好適実施例に依る前記使い捨て式先端具は、前記吸引装置の先端部分に対して、好ましくは、この端部内の筒状空間の内壁に対して摩擦接続によって取り付けられる。本発明の一好適実施例に依れば、前記使い捨て式先端具は、前記先端部分の前記端部に向けて幅広がりの内側円錐状面に対する摩擦接続によって取り付けられる。前記筒状空間又は前記円錐状面には、更に、前記使い捨て式先端具が取り付け時に於いて接触する、肩部又は突起を備えさせることができる。
【００１１】
本発明の別の好適実施例に依れば、前記使い捨て式先端具は、更に、例えば摩擦接続によって、前記吸引装置の前記先端部分の前記端部に取り付け可能で、かつ、該使い捨て式先端具が、例えば突起等の適当な保持手段によってそれに取り付け可能な、スリーブ等の適当な取り付け手段によって取り付けることも可能である。
【００１２】
本発明の更に別の好適実施例に依れば、前記先端具は、好ましくは、摩擦接続によって、前記吸引装置の先端部分の遠端に取り付けることも可能である。
【００１３】
本発明に依れば、前記先端具は、この先端具の前記サンプル空間内に配設された膜手段を備え、この膜手段は、先端具が吸引装置に取り付けられたときに、先端具の第１開口端から吸引装置への気液通路を気液密状態で閉じるべく、空気及び液体に対して不透過性で、フレキシブル、かつ、可逆変形可能な材料の膜から構成され、これによって、前記吸引装置の端部内の筒状空間内で往復移動する前記筒状空間に配設された前記手段は、前記本体部の端部の開口を通って前記使い捨て式先端具のサンプル空間内に延出するときに、前記膜と接触し、サンプルを出し入れするための前記使い捨て式先端具のサンプル空間から前記膜手段によって区画された容量を変化させることが可能である。
【００１４】
本発明の一好適実施例に依れば、前記サンプル空間を形成する前記マントルは、硬い（ｒｉｇｉｄ）ものである。本発明の別の好適実施例に依れば、前記膜手段の前記膜は、実質的に張設（ｓｔｒｅｔｃｈｅｄ）されている。
【００１５】
本発明に依れば、前記使い捨て式先端具の前記サンプル空間の前記吸引装置に面する端部は、空気及び液体に対して不透過性、フレキシブル可逆変形可能材から構成される膜によって気液密状態に閉じられ、これによつて、前記吸引装置の本体部の前記端部内の前記筒状空間内を往復移動するプランジャ等の前記手段を前記膜と接触させて前記使い捨て式先端具のサンプル出し入れ用の前記サンプル空間の容量を変化させることができる。
【００１６】
前記膜の形状は、もちろん、前記サンプル空間の形状によって異なる。本発明の一好適実施例に依れば、前記膜は、前記マントルの吸引装置に面する面に対して、例えば、前記使い捨て式先端具の製造中に於ける溶接又は接着によって固定される。前記膜は、又、前記先端具の第２開口端部の近傍に於いて先端具の前記サンプル空間を形成する前記マントルの外面に、対応の方法によって固定されることも可能である。本発明の一好適実施例に依れば、前記膜は、この膜を前記使い捨て式先端具のサンプル空間を形成する前記マントルの面に対して封止するべく、円形スリーブによって前記先端具の第２端部に固定される。本発明の別の好適実施例に於いて、前記円形スリーブは、前記マントルの外面上に形成された肩部又は突起と接触し、これによって、前記膜を前記マントルの面に対して封止する。
【００１７】
本発明の一好適実施例に於いて、前記膜は、前記先端具の前記第２開口端部に気液密状態で取り付け可能な前記フレームに取り付けられ、好ましくは取り付け手段を必要とせずに、摩擦接続によって所望の位置に保持される。
【００１８】
本発明の一好適実施例に於いて、前記フレームは、取り外し可能式フレームとすることができる。
【００１９】
本発明の一実施例に於いて、前記膜手段は、例えば、溶接又は接着によって、前記使い捨て式先端具の製造中に前記サンプル空間にシール状態に形成される。本発明の別の好適実施例に於いて、前記膜はフレームに固定され、このフレームは、前記先端具の前記サンプル空間の内面に気液密状に取り付け可能であり、該フレームは、そこで、好ましくは、特殊な取り付け手段を使用することなく、例えば、摩擦力等の作用下に於いて所定の位置に留まる。前記膜手段は、又、前記使い捨て式先端具の内面に形成された肩部、突起、ペグ、その他類似の手段によって、前記使い捨て式先端具のサンプル空間の内面に取り付けることも可能である。
【００２０】
本発明に依れば、前記使い捨て式先端具は、前記筒状空気空間内での前記プランジャの移動を先端具の取り外し移動に変換することによって、前記吸引装置の先端部分から取り外し可能である。
【００２１】
本発明の一好適実施例に依れば、前記使い捨て式先端具の前記吸引装置に面する端部は、前記プランジャ又は、肩部、ペグあるいは前記プランジャと関連付けられたその他類似の手段と接触して、プランジャの移動と連動して使い捨て式先端具を前記吸引装置の端部から取り外す。好ましくは、前記使い捨て式先端具の前記サンプル空間を形成する前記マントルは、該使い捨て式先端具の前記第２端部に於いて、前記筒状空間内で移動するプランジャ又は、該プランジャの端部の肩部が接触して、前記プランジャの移動によって、使い捨て式先端具を取り外すことが可能な面を形成する。又、前記膜を固定することが可能なフレーム、或いは、前記膜を固定するのに使用される前記円形スリーブによって、前記プランジャ又はこれに関連付けられた前記手段を、プランジャの移動によって前記先端具を取り外すべく接触させることが可能な面を形成することができる。
【００２２】
本発明の一好適実施例に於いて、前記膜は、前記吸引装置の前記先端部分の筒状空気空間内を移動する前記プランジャ、又は、このプランジャに設けられた肩部、ペグ、その他類似の手段と接触して、前記使い捨て式先端具とその中にそのフレームを取り付けた状態の前記膜手段とを、前記プランジャの吸引装置の端部の開口からの移動と連動して吸引装置の端部から取り外すことが可能な手段を備えたフレームに固定される。
【００２３】
本発明の前記先端具は、この使い捨て式先端具の本発明に依る前記膜手段によって、ピペットの内部材のＤＮＡ及びＲＮアーゼ汚染と、従って、異なるサンプル及び反応混合物間の相互汚染が防止されるので、ＰＣＲ技術に基づく実験室作業にも適合可能である。
【００２４】
【実施例】
図１ないし９に於いて、類似のパーツは類似の参照符号によって示されている。図１に於いて、その全体を参照番号１によって示すピペットは、本体部２と先端部分３とを有する。前記先端部分３には筒状空間４が形成され、その長手方向に、プランジャ５が移動可能である。前記先端部分３の遠端部６には、開口７が形成され、これを通して前記プランジャ５は、使い捨て式先端具８のサンプル空間９内に延出することが可能である。これらの図面に示された実施例に於いて、前記使い捨て式先端具８のサンプル空間９には、液体サンプル１０が収納されている。
【００２５】
図２に、本発明の一好適実施例を示す。ここに於いて、前記先端具８の前記サンプル空間９の内壁に、膜手段１１が封止状態に固定されている。この実施例では、前記使い捨て式先端具８のサンプル空間９内に於いて、膜１２が、前記サンプル１０と接触しない状態で、適当な方法、例えば、フレーム１３に支持された状態で配設されている。
【００２６】
図３に図示する本発明の別の好適実施例では、使い捨て式先端具８の前記サンプル空間９の内側面に、このサンプル空間９内に突出し、それに対して前記フレーム１３を接当させることが可能な複数の突起、肩部、ペグ、又はその他の手段１４が設けられている。
【００２７】
本発明の別の実施例に依れば、前記膜手段１１は、好ましくは、前記使い捨て式先端具の製造工程中に於いて、この先端具８の前記サンプル空間９内に、その内壁に対して、溶接その他の適当な方法によって取り付けられ、これによって、気液密状シールを保障する。
【００２８】
本発明の一好適実施例に於いて、前記フレーム１３は、前記プランジャ手段５の移動によって、前記使い捨て式先端具８とこれに取り付けられた前記膜手段１１とを、前記吸引装置１の先端部分３から取り外すべく、前記吸引装置１の前記先端部分３内で移動するプランジャ手段５の肩部１５と接触するように移動することが可能である。別の実施例に於いて、前記プランジャと関連付けられ、かつ、該プランジャ５の長手方向に於いて前記吸引装置１の先端部分３の端部に対して接近、離間入れ子移動可能な延出部が、前記吸引装置１の本体部２から手動操作される適当な手段によって、前記先端部分３の端部に向けて移動することによって前記膜手段１１と接触し、これによって、前記延出部が、前記使い捨て式先端具８とその内部に取り付けられた前記膜手段１１とを押して、前記吸引装置１の先端部分３から取り外す。
【００２９】
図４に於いて、前記吸引装置の先端部分は、参照番号３によって示されている。この先端部分３の筒状空間４内には、その長手方向に於いて、プランジャ５が摺動する。前記先端部分３の端部６には開口７が形成され、これを通じて、前記プランジャ手段５は、使い捨て式先端具８のサンプル空間９内に突出することが可能である。前記吸引装置内に取り付けられる前記使い捨て式先端具８の第２端部には、この端部を気液密状態にシールするべく膜１２が固定され、この膜１２は、フレキシブル変形可能材から構成される。前記膜１２は、前記使い捨て式先端具８のサンプル空間９を形成するマントルの表面に、例えば、溶接や接着等の気液密状態を保障する適当な方法によって固定されている。前記膜１２は、又、前記先端具８の前記マントルの外面に、好ましくは、前記先端具８の第２開口端部又はその近傍に於いて、類似の方法によっても固定可能である。
【００３０】
図５には、フレーム１３と、これに取り付けられた膜１２とを、前記使い捨て式先端具８の第２端部に、この端部を気液密状態に閉じるべく封止状態に固定する本発明の実施例が示されている。この実施例に於いて、円形フレーム１３の内面が、使い捨て式先端具８の第２端部の外面の肩部に取り付けらている。
【００３１】
図６に図示された実施例に於いて、膜１２が円形フレーム１３に取り付けられ、これが、使い捨て式先端具８のサンプル空間９の内面をシールし、先端具８の第２端部を気液密状態に閉じている。この実施例に於いて、前記フレーム１３の外面と先端具８の前記サンプル空間９の内面とは、互いにシールする円錐状面である。本発明の別実施例に於いて、先端具８のサンプル空間９の前記内面は、前記フレーム１３を先端具８の第２端部に取り付けて、この端部を気液密状態に閉じるべく、それに対して前記フレーム１３をそれに取り付けられた前記膜１２と共に接触させることが可能な肩部１４を有している。
【００３２】
図７に於いて、前記膜１２は、この膜１２を前記使い捨て式先端具８の前記マントルに対して気液密状態にシールする、円形フレーム、スリーブ又はその他類似の手段１３によって前記先端具８の第２端部に固定されている。本発明の一好適実施例に於いて、前記使い捨て式先端具８の第２端部は、前記手段１３を接触させることが可能な肩部を有する。一実施例に於いて、前記手段１３は、例えば、Ｏリングとすることができる。
【００３３】
図８には、本発明に依る使い捨て式先端具８の、前記吸引装置の先端部分３の遠端部６に形成された円錐状内面に対する取り付けが示されている。この実施例に於いて、前記使い捨て式先端具８の第２端部は、吸引装置の先端部分３の内面の肩部１７と接触する。本発明の別実施例に於いて、前記使い捨て式先端具８は、その外面に、先端具８の第２端部の近傍に於いて、例えば、円形の突起を有し、この突起は、先端具８が吸引装置に対して、その意図された位置に取り付けられるとき、吸引装置の先端部分３の遠端部６と接触する。前記手段５の前記筒状空間内での移動は、先端具８、そのサンプル空間９を形成する前記マントルの表面に対して、或いは、適当な手段を介して、先端具８の突起１８に伝達されて、先端具を吸引装置の先端部分３から取り外すことができる。
【００３４】
図９には、本発明に依る前記使い捨て式先端具８の、別体のスリーブ状取り付け手段２０による、吸引装置の先端部分３の遠端部６への取り付けが図示されている。本発明の先端具８は、中空の（ｈｏｌｌｏｗ）スリーブ２０、好ましくは、例えば、先端具８の円形突起１８による栽頭（ｔｒｕｎｃａｔｅｄ）円錐形状のスリーブと、前記スリーブ２０に設けられた肩部等の適当な保持手段とを取り付けられ、一方、前記スリーブ２０と先端具８との組み合わせは、好ましくは、例えば摩擦力によって、吸引装置の先端部分３の遠端部に取り付けられている。前記スリーブ２０と先端具８との組み合わせは、前記プランジャ５又はそれに関連するその肩部１６を、先端具８の前記サンプル空間９を形成するマントル、又は、先端具８とスリーブ２０とを吸引装置の先端部分から取り外すべく先端具８に取り付けられた前記膜フレーム１３によって形成される面、と接触させることによって、吸引装置の先端部分３から取り外し可能である。前記プランジャ５の移動は、前記先端具８又は、該先端具８と前記スリーブ２０との組み合わせを前記吸引装置の先端部分３から取り外すべく、適当な手段によって前記先端具８又は先端具８の前記膜フレーム１３に伝達することも可能である。
【００３５】
本発明の一実施例に於いて、前記使い捨て式先端具８のサンプル空間９を形成する前記マントルは、先端具８の第２開口端部に表面１５を形成し、これに対して、前記プランジャ５の端部の肩部１６を接触させて、先端具８を吸引装置の先端部分３から取り外すことができ、そのとき、吸引装置の構造に応じて、前記プランジャ５は、吸引装置の先端部３の開口７からのサンプルの出し入れのための位置を通過移動する。
【００３６】
前記円形フレーム１３の表面は、本発明の一好適実施例に於いて、前記プランジャ５が上述したように吸引装置の先端部分３で外側に移動するときに、使い捨て式先端具８を吸引装置の先端部分３から取り外すべく前記プランジャ５の端部の前記肩部１６が接触可能な面として形成することも可能である。
【図面の簡単な説明】
【図１】本発明に依る交換可能な先端具を備えた吸引装置として機能するピペットの長手方向断面図
【図２】本発明に依る前記先端具を取り付けた状態の、図１のピペットの先端部分の拡大図
【図３】図２の膜手段の別実施例を示す図
【図４】本発明に依る交換可能先端具を取り付けた吸引具として機能するピペットの先端部分の長手方向断面図
【図５】本発明に依る使い捨て式先端具の別実施例を示す図
【図６】本発明に依る使い捨て式先端具の別実施例を示す図
【図７】本発明に依る使い捨て式先端具の別実施例を示す図
【図８】本発明に依る前記使い捨て式先端具を前記吸引装置の先端部分に取り付ける別の方法を示す図
【図９】本発明に依る前記使い捨て式先端具を前記吸引装置の先端部分に取り付ける別の方法を示す図
【図１】
0003544906.tif 000002
【図２】
0003544906.tif 000003
【図３】
0003544906.tif 000004
【図４】
0003544906.tif 000005
【図５】
0003544906.tif 000006
【図６】
0003544906.tif 000007
【図７】
0003544906.tif 000008
【図８】
0003544906.tif 000009
【図９】
0003544906.tif 000010